(57)【要約】【課題】この発明は、ベルトが強固に締結固定されていても、該ベルトの締結固定を簡単且つ容易に解除することができるベルト締結具の提供を目的とする。【解決手段】本発明のベルト締結具１は、支持枠体２の枠部２ａ，２ａ間に取り付けられた挟持部材３と、該支持枠体２の枠部２ｃに取り付けられた解除レバー４の巻付け部４ａによってベルトＢが厚み方向に挟持される。これにより、ベルトＡ，Ｂが長さ方向に緊張される程、強固に締め付け固定することができる。つまり、解除レバー４を締結解除方向へ回動操作して、カム部４ｄの中央頂部を挟持部材３の両端に当接するとともに、該挟持部材３を解除レバー４の巻付け部４ａから離間される方向へ強制的に移動させる。これにより、ベルトＡ，Ｂの締結固定が簡単且つ容易に解除される。【選択図】図６
2010195452.tif 000002
【特許請求の範囲】
【請求項１】
四角形に形成された支持枠体の前後に対向する一方の枠部にベルトを固定し、該一方の枠部と対向する他方の枠部と、該支持枠体の左右に対向する各枠体に対し前後摺動自在に取り付けられた挟持部材とで、該挟持部材に巻き付けられたベルトを挟持して締結固定するベルト締結具であって、
前記支持枠体の他方の枠部に、該支持枠体の前後方向と平行する方向に向けて一つの解除レバーを前後回動自在に取り付け、
前記解除レバーの両側部に、前記左右枠部より外側に突出された前記挟持部材の両端と対向して、前記ベルトが挟持される位置に移動された前記挟持部材の両端に対し当接されるカム部を形成した
ベルト締結具。
【請求項２】
矩形に形成された支持枠体の前後に対向する各枠部と、該支持枠体の左右に対向する各枠体に対し前後摺動自在に取り付けられた一対の挟持部材とで、該各挟持部材に巻き付けられたベルトを挟持して締結固定するベルト締結具であって、
前記支持枠体の前後枠部に、該支持枠体の前後方向と平行する方向に向けて一対の解除レバーを前後回動自在に取り付け、
前記解除レバーの両側部に、前記左右枠部より外側に突出された前記挟持部材の両端と対向して、前記ベルトが挟持される位置に移動された前記挟持部材の両端に対し当接されるカム部を形成した
ベルト締結具。
【請求項３】
前記左右の枠部と対向する前記カム部の内側に、前記解除レバーを締結解除角度に回動した際に前記枠部の外側の面に当接され、該解除レバーを締結解除角度に回動された角度に回動規制する突起を形成した
請求項１又は２に記載のベルト締結具。
【請求項４】
前記左右の枠部と対向する前記カム部の内側に、前記解除レバーを締結固定角度に回動した際に前記枠部の外側の面に当接され、該解除レバーを締結固定角度に回動された角度に回動規制する一対の突起を形成した
請求項１〜３のいずれか一つに記載のベルト締結具。
【請求項５】
前記解除レバーの操作側端部に、前記挟持部材に巻き付けられた前記ベルトの端部が挿通される挿通孔を形成した
請求項１〜４のいずれか一つに記載のベルト締結具。
【請求項６】
前記カム部を、前記解除レバーが締結固定角度に回動された際に前記ベルト挟持位置に移動された前記挟持部材の端部に対し当接が回避され、前記解除レバーが締結解除角度に回動された際に前記ベルト挟持位置に移動された前記挟持部材の端部に対し当接されるカム形状に形成した
請求項１〜５のいずれか一つに記載のベルト締結具。
【発明の詳細な説明】
【技術分野】
【０００１】
この発明は、例えば荷物や物品を固縛するための荷役用のベルト、或いは、買い物用カートや台車を複数台固定するためのベルト、或いは、箪笥、書架、戸棚、キャビネット、展示ケース等の家具が地震発生時に転倒するのを防止するためのベルト等を締結する際に用いられるベルト締結具に関する。
【背景技術】
【０００２】
従来、前記ベルトを締結する際に用いられる締結具としては、例えば特許文献１のベルト締結具が提案されている。このベルト締結具によりベルトを締結する際は、ベース金具に取り付けられた解除金具をベルトの長さ方向と直交する横向きに回動して、調節側ベルトの端部を、ベース金具に保持された固定環の対向辺の下から差し入れ、遊動環の対向辺に巻き付ける。ベルトに緊張力が生ずると、固定環と遊動環の対向辺によってベルトが締結される。また、ベルトの締結を解除する際は、解除金具をベルトの長さ方向と平行する縦向きに回動して、遊動環を後退させる。これにより、固定環と遊動環によるベルトの締結が解除され、調節側ベルトを抜き取ることができる。
【０００３】
しかし、固定環と遊動環によって締結固定されたベルトには緊張力が常時付与されており、その緊張力に抗して、解除金具を縦向きに回動操作するのには大きな力が必要である。また、ベルトが強固に締結固定されていると、解除金具に付与される回動抵抗が大きく、ベルトの締結固定を解除するに手間及び時間が掛かる。
【先行技術文献】
【特許文献】
【０００４】
【特許文献１】特開昭５７−１３３８６０号公報
【発明の概要】
【発明が解決しようとする課題】
【０００５】
この発明は、ベルトが強固に締結固定されていても、該ベルトの締結固定を簡単且つ容易に解除することができるベルト締結具を提供することを目的とする。
【課題を解決するための手段】
【０００６】
この発明は、四角形に形成された支持枠体の前後に対向する一方の枠部にベルトを固定し、該一方の枠部と対向する他方の枠部と、該支持枠体の左右に対向する各枠体に対し前後摺動自在に取り付けられた挟持部材とで、該挟持部材に巻き付けられたベルトを挟持して締結固定するベルト締結具であって、前記支持枠体の他方の枠部に、該支持枠体の前後方向と平行する方向に向けて一つの解除レバーを前後回動自在に取り付け、前記解除レバーの両側部に、前記左右枠部より外側に突出された前記挟持部材の両端と対向して、前記ベルトが挟持される位置に移動された前記挟持部材の両端に対し当接されるカム部を形成したベルト締結具であることを特徴とする。
【０００７】
また、この発明は、矩形に形成された支持枠体の前後に対向する各枠部と、該支持枠体の左右に対向する各枠体に対し前後摺動自在に取り付けられた一対の挟持部材とで、該各挟持部材に巻き付けられたベルトを挟持して締結固定するベルト締結具であって、前記支持枠体の前後枠部に、該支持枠体の前後方向と平行する方向に向けて一対の解除レバーを前後回動自在に取り付け、前記解除レバーの両側部に、前記左右枠部より外側に突出された前記挟持部材の両端と対向して、前記ベルトが挟持される位置に移動された前記挟持部材の両端に対し当接されるカム部を形成したベルト締結具であることを特徴とする。
【０００８】
この発明の態様として、前記左右の枠部と対向する前記カム部の内側に、前記解除レバーを締結解除角度に回動した際に前記枠部の外側の面に当接され、該解除レバーを締結解除角度に回動された角度に回動規制する突起を形成することができる。
【０００９】
また、この発明の態様として、前記左右の枠部と対向する前記カム部の内側に、前記解除レバーを締結固定角度に回動した際に前記枠部の外側の面に当接され、該解除レバーを締結固定角度に回動された角度に回動規制する一対の突起を形成することができる。
【００１０】
また、この発明の態様として、前記解除レバーの操作側端部に、前記挟持部材に巻き付けられた前記ベルトの端部が挿通される挿通孔を形成することができる。
【００１１】
また、この発明の態様として、前記カム部を、前記解除レバーが締結固定角度に回動された際に前記ベルト挟持位置に移動された前記挟持部材の端部に対し当接が回避され、前記解除レバーが締結解除角度に回動された際に前記ベルト挟持位置に移動された前記挟持部材の端部に対し当接されるカム形状に形成することができる。
【００１２】
前記ベルト締結具は、例えばスチール、ステンレス、アルミニウム、チタンなどの金属、或いは、ポリアセタール、ポリカーボネートなどのプラスチック等の材質で構成することができる。或いは、ベルトの締結固定に必要な強度が得られるならば、挟持部材及び解除レバーのいずれか一方又は両方をプラスチックで形成してもよい。
【００１３】
また、ベルトは、例えばポリプロピレン繊維製（ＰＰ）、ナイロン繊維製（ＰＡ）、ポリエチレン繊維製（ＰＥ）、ポリエステル繊維製（ＰＥＴ）等の用途に応じた材質からなる扁平ベルトで構成することができる。
【発明の効果】
【００１４】
この発明によれば、解除レバーを締結解除方向へ回動操作するだけで、支持枠体に取り付けられた挟持部材が締結解除方向へ強制的に移動される。これにより、ベルトが強固に締結固定されていても、該ベルトの締結固定を簡単且つ容易に解除することができる。
【図面の簡単な説明】
【００１５】
【図１】シングル型のベルト締結具によるベルトの締結状態を示す斜視図。
【図２】ベルト締結具によるベルトの締結状態を示す平面図。
【図３】ベルト締結具に対するベルトの取り付け方を示す縦断側面図。
【図４】ベルト締結具によるベルトの締結状態を示す側面図。
【図５】図４のベルト締結具によるベルトの締結状態を示す縦断側面図。
【図６】解除レバーによるベルトの締結解除動作を示す側面図。
【図７】解除レバーによるベルトの締結解除状態を示す側面図。
【図８】ダブル型のベルト締結具によるベルトの締結状態を示す平面図。
【図９】解除レバーを締結固定角度に回動規制する他の例を示す側面図。
【図１０】ベルト締結具による家具の転倒防止例を示す側面図。
【発明を実施するための形態】
【実施例】
【００１６】
図１は、本発明の一実施形態であるシングル型のベルト締結具１によるベルトＡ，Ｂの締結状態を示す斜視図、図２は、ベルト締結具１によるベルトＡ，Ｂの締結状態を示す平面図、図３は、ベルト締結具１に対するベルトＡ，Ｂの取り付け方を示す縦断側面図、図４は、ベルト締結具１によるベルトＡ，Ｂの締結状態を示す側面図、図５は、図４のベルト締結具１によるベルトＡ，Ｂの締結状態を示す縦断側面図、図６は、解除レバー４によるベルトＡ，Ｂの締結解除動作を示す側面図、図７は、解除レバー４によるベルトＡ，Ｂの締結解除状態を示す側面図である。
【００１７】
本発明のベルト締結具１は、四角形に形成された支持枠体２の前後（前後方向ａ）に対向する枠部２ｂ，２ｃのうち一方の枠部２ｂ（図２中の上側枠部）には、ベルトＡの端部Ａａが巻き付け固定されている。また、支持枠体２の左右（左右方向ｂ）に対向する枠体２ａ，２ａには、１本の挟持部材３が前後摺動自在に取り付けられている。つまり、枠部２ｂと対向する他方の枠部２ｃと、枠体２ａ，２ａに取り付けられた挟持部材３とで、該挟持部材３に巻き付けられたベルトＢの端部Ｂａを挟持して締結固定するものである。
【００１８】
また、支持枠体２の他方の枠部２ｃ（図２中の下側枠部）には、該支持枠体２の前後方向ａと平行する方向に向けて一つの解除レバー４が前後回動自在に取り付けられている。
【００１９】
なお、支持枠体２の前後方向ａは、ベルトＡ，Ｂの長さ方向と対応して設定されている。また、支持枠体２の左右方向ｂは、ベルトＡ，Ｂの幅方向と対応して設定されている。
【００２０】
ベルトＡ，Ｂは、ポリプロピレン繊維製（ＰＰ）の柔軟性を有する１本の扁平ベルトで構成されている。また、ベルトＡ，Ｂの横幅は、支持枠体２の枠部２ａ，２ａ間より幅狭に形成されている。また、枠部２ａ，２ａ間に取り付けられた後述する挟持部材３と、枠部２ｃに取り付けられた後述する解除レバー４の巻付け部４ａとで挟持される厚みに形成されている。
【００２１】
支持枠体２は、図２にも示すように、金属製の丸棒を平面から見て正方形に折り曲げ加工して形成されている。また、丸棒は、該丸棒の長さ方向と直交する面で切断した形状が円形（又は丸形）の金属棒で構成されている。また、支持枠体２の表面は、例えばニッケル等でメッキ処理されている。
【００２２】
支持枠体２の枠部２ｂと挟持部材３の間には、図３中の右側からベルトＡの端部Ａａが挿入されている。また、図３中の左側に引き出されたベルトＡの端部ＡａはＵ字状に折り返され、該ベルトＡの裏側に対し縫着固定されている。
【００２３】
これにより、支持枠体２の枠部２ｂに対しベルトＡの端部Ａａが巻き付け固定されている。また、ベルトＡの端部Ａａを縫着固定する代わりに、例えばホックなどの止め具等で固定してもよい。
【００２４】
支持枠体２の枠部２ｂは、前記丸棒の中央部を直線のまま利用して形成されている。また、支持枠体２の枠部２ａ，２ａは、枠部２ｂの両端をベルトＡ，Ｂの長さ方向と平行する方向に向けて直角に折り曲げて形成されている。
【００２５】
また、支持枠体２の枠部２ｃは、枠部２ａ，２ａの端部を内側に向けて直角に折り曲げて形成されている。なお、枠部２ａ，２ａの端部は、該両端の軸芯を一致させて軸芯方向に対し互いに当接されている。また、枠部２ａ，２ａの両端は、後述する解除レバー４の抜け落ちが防止される間隔に近接してもよい。
【００２６】
挟持部材３は、図２、図３にも示すように、端面から見て円柱状を有する真鍮製の金属棒で形成されている。また、支持枠体２の横幅より長尺に形成されており、該挟持部材３の両端が支持枠体２の枠部２ａ，２ａより外側に突出する長さに形成されている。
なお、前記真鍮以外の材質として、例えばスチール、ステンレス、アルミニウム、チタン等の金属で挟持部材３を形成してもよい。また、金属以外の材質として、例えばポリアセタール、ポリカーボネート等のプラスチックで挟持部材３を形成してもよい。
【００２７】
挟持部材３の両端より内側周面には、挟持部材３の枠部２ａを挿入するための貫通孔３ａが径方向に貫通して形成されている。また、貫通孔３ａは、枠部２ａの外径より大径に形成され、支持枠体２の前後方向ａと平行して同一方向に向けて形成されている。  
挟持部材３の貫通孔３ａ，３ａには、支持枠体２の枠部２ａ，２ａが摺動自在に挿入されており、該支持枠体２の内側に折り曲げられた枠部２ｃで抜止めされている。
【００２８】
これにより、挟持部材３が、後述する支持枠体２の枠部２ｃに取り付けられた解除レバー４の巻付け部４ａに対しベルトＢを押し付けるベルト挟持位置（図４に示す位置）と、該解除レバー４の巻付け部４ａに対するベルトＢの押し付けが解除される締結解除位置（図６に示す位置）とに、支持枠体２の前後方向ａと平行して前後摺動自在に取り付けられている。
【００２９】
また、挟持部材３のベルトＢが巻き付けられる巻き付け面の全周には、菱形目（ダイヤモンド型）がローレット加工されている。なお、前記菱形目以外に、例えば四角目（クロス型）、平目（ストレート型）、斜目（スパイラル型）等のローレット加工を施してもよい。また、セレーション加工、梨地面加工等の加工を施してもよい。
【００３０】
解除レバー４は、１枚の金属板を打抜き加工した後、図１に示す形状に折り曲げ加工して形成されている。また、解除レバー４の枢着側端部（図３中の上側）には、支持枠体２の枠部２ｃに巻き付けられる巻付け部４ａが形成されている。また、巻付け部４ａは、枠部２ｃの軸芯を中心として、図３の右側から枠部２ｃの外周面に対し巻き付けられている。
【００３１】
巻付け部４ａの端部は、解除レバー４の裏面と対向する方向へ折り曲げられ、該解除レバー４の裏面と直交する角度に折り曲げられている。また、巻付け部４ａの端部は、解除レバー４の裏面に対し枠部２ｃの外径より幅狭となる間隔に近接されている。
【００３２】
これにより、解除レバー４が、枠部２ｃの軸芯を中心として、支持枠体２の前後方向ａと平行する方向へ前後回動自在に取り付けられている。つまり、図４に示す締結固定角度と、図７に示す締結解除角度の間に回動操作される。さらに、巻付け部４ａと枠部２ｃとの対向周面間には、解除レバー４の回動操作を許容する隙間が形成されている。
【００３３】
解除レバー４の操作側端部（図３中の下側）には、挟持部材３に巻き付けられたベルトＢの端部Ｂａが挿通される挿通孔４ｂが該ベルトＢと直交して幅方向に開口されている。また、挿通孔４ｂは、ベルトＢの横幅より幅広に形成されるとともに、該ベルトＢを厚み方向に複数枚重ね合わせてなるベルト群の挿通が許容される大きさ及び形状に形成されている。
【００３４】
解除レバー４の両側部には、支持枠体２の枠部２ａ，２ａより外側に突出された挟持部材３の両端と対向して、該解除レバー４の巻付け部４ａに押し付けられた挟持部材３の両端に対し当接される支持板４ｃ，４ｃが折り曲げ加工されている。
【００３５】
支持板４ｃ，４ｃは、枠部２ａ，２ａより外側に突出された解除レバー４の両側部を、枠部２ｃの軸芯両端と対向する方向に向けて直角に折り曲げ形成されている。
【００３６】
支持板４ｃ，４ｃの間は、支持枠体２の横幅より幅広となる間隔に隔てられるとともに、枠部２ａ，２ａより外側に突出された挟持部材３の両端に対し当接される間隔に隔てて形成されている。なお、枠部２ａと支持板４ｃの間は、解除レバー４の回動操作が許容される間隔に隔てられている。
【００３７】
支持板４ｃの端部には、挟持部材３の突出側端部に対し当接されるカム部４ｄが形成されている。また、カム部４ｄの周縁には、枠部２ｃの軸芯を中心として、挟持部材３の端部に対し当接が回避されるカム面４ｅと、該挟持部材３の端部に対し当接されるカム面４ｆとが形成されている。
【００３８】
カム部４ｄは、カム面４ｅとカム面４ｆの中間部に形成された中央頂部が当接されるカム形状に形成されている。また、カム部４ｄの中央頂部は、解除レバー４を、図６に示す中間角度に回動した際に、支持枠体２の枠部２ａ，２ａ間に取り付けられた挟持部材３の両端に当接される。
【００３９】
カム面４ｅは、枠部２ｃの軸芯を中心として側面から見て略半円形に形成されている。且つ、解除レバー４の巻付け部４ａに押し付けられた挟持部材３の端部に対し当接が回避される大きさ及び形状に形成されている。
【００４０】
カム面４ｆは、カム面４ｅの周縁より外側に突出され、側面から見て略半楕円形状に形成されている。且つ、解除レバー４の巻付け部４ａに押し付けられた挟持部材３の端部に当接され、挟持部材３が解除レバー４の巻付け部４ａから離間される大きさ及び形状に形成されている。
【００４１】
支持枠体２の枠部２ａと対向するカム部４ｄの内側には、該枠部２ａの外側の面に対し当接される滑らかな曲面形状の突起４ｇが形成されている。また、突起４ｇは、カム面４ｅからカム面４ｆに移行する中間部分に配置され、枠部２ａの外側の面に対し当接される大きさ及び形状に形成されている。
【００４２】
つまり、解除レバー４を、図７に示す締結解除角度に回動操作した際に、支持枠体２の枠部２ａの後側（図７に示す左側）に、支持板４ｃのカム部４ｄに形成された突起４ｇが係合する。これにより、解除レバー４が締結解除角度に回動規制される。
【００４３】
前記ベルト締結具１を組み付ける際には、支持枠体２の枠部２ａ，２ａは挟持部材３の貫通孔３ａ，３ａに挿通される。また、貫通孔３ａ，３ａに挿通された枠部２ａ，２ａの端部は内側に向けて直角に折り曲げられ互いに当接される。また、解除レバー４の巻き付け部４ａは支持枠体２の枠部４ｃに対し回動自在に巻き付けられる。
【００４４】
これにより、支持枠体２の枠部２ａ，２ａ端部を溶着するような工程及び作業が不要となり、ベルト締結具１を安価に製造することができる。なお、支持枠体２の枠部２ｂには、ベルトＡの端部Ａａが巻き付け固定される。
【００４５】
次に、本発明のベルト締結具１によって図示しない物品に巻き付けられたベルトＡ，Ｂを締結固定する方法を説明する。
【００４６】
先ず、図３に示すように、ベルトＢの端部Ｂａを、ベルトＡの端部Ａａが固定された支持枠体２の枠部２ｂと、該支持枠体２の枠部２ａ，２ａ間に取り付けられた挟持部材３との間に図中左側から挿入して、該挟持部材３のローレット加工された周面に巻き付ける。
【００４７】
次に、挟持部材３に巻き付けられたベルトＢの端部Ｂａを、支持枠体２の枠部２ａ，２ａ間に取り付けられた挟持部材３と、該支持枠体２の枠部２ｃに取り付けられた解除レバー４の巻付け部４ａとの間に図中右側から挿入して、図中左側へ一旦引き出す。
【００４８】
次に、ベルトＢの端部Ｂａを、支持枠体２の枠部２ｃに取り付けられた解除レバー４の挿通孔４ｂに図中左側から挿通して、図中右側へ一旦引き出す。この後、解除レバー４を、図４に示す締結固定角度に回動操作する。
【００４９】
これにより、図４、図５に示すように、ベルトＡ，Ｂが図の矢印で示す長さ方向に緊張された際に、該ベルトＢを巻き付けた挟持部材３が、支持枠体２の枠部２ｃに取り付けられた解除レバー４の巻付け部４ａに押し付けられる方向へ引き寄せられる。
【００５０】
支持枠体２の枠部２ａ，２ａ間に取り付けられた挟持部材３と、該支持枠体２の枠部２ｃによってベルトＢが厚み方向に挟持される。実際には、支持枠体２の枠部２ｃに解除レバー４の巻付け部４ａが巻き付けられており、挟持部材３と解除レバー４の巻付け部４ａでベルトＢが厚み方向に挟持されることになる。これにより、ベルトＡ，Ｂが長さ方向に緊張される程、強固に締結固定することができる。
【００５１】
ベルトＡ，Ｂの締結時において、解除レバー４は、図４に示す締結固定角度に回動されている。また、解除レバー４の挿通孔４ｂにはベルトＢが挿通されているので、解除レバー４が締結解除方向へ回動しようとするのを防止することができる。
【００５２】
次に、ベルト締結具１によるベルトＡ，Ｂの締結固定を解除する方法を説明する。  
先ず、解除レバー４を、図６に示す中間角度に回動した際に、解除レバー４の支持板４ｃに形成されたカム部４ｄの中央頂部が、支持枠体２の枠部２ａ，２ａ間に取り付けられた挟持部材３の両端に当接される。
【００５３】
その当接部分に生じる反力によって、挟持部材３が、支持枠体２の枠部２ａ，２ａに沿って解除レバー４の巻付け部４ａから離間される方向へ強制的に移動される。  
つまり、ベルトＢが強固に締結固定されていても、枠部２ｃを支点とするテコの原理により、挟持部材３が、解除レバー４の巻付け部４ａから離間される方向へ小さな力で移動することができる。
【００５４】
支持枠体２の枠部２ａ，２ａ間に取り付けられた挟持部材３と、該支持枠体２に取り付けられた解除レバー４の巻付け部４ａとの間がベルトＢの厚みより幅広に離間された時点で、ベルトＢの締結固定が解除される。
【００５５】
さらに、解除レバー４を、図６に示す中間角度に回動すれば、カム部４ｄに形成された突起４ｇが、支持枠体２の枠部２ａに当接される。また、解除レバー４を、図７に示す締結解除角度に回動する際に、支持板４ｃ，４ｃの間が支持枠体２の横幅より幅広となる間隔に押し広げられる。
【００５６】
つまり、カム部４ｄに形成された突起４ｇが、支持枠体２の枠部２ａを乗り越えて、枠部２ａの後側（図７に示す左側）に係合される。これにより、解除レバー４が、図７に示す締結解除角度に回動規制される。
【００５７】
これにより、図７に示す締結解除角度に回動された解除レバー４から手を離しても、図４に示す締結固定角度に解除レバー４が回動復帰されることがない。且つ、解除レバー４による締結解除状態が維持されるので、ベルトＢを緩める操作或いはベルトＢの長さを調節する操作が片手で行える。
【００５８】
また、解除レバー４を、図６の矢印で示す締結解除方向とは逆方向へ回動操作して、カム部４ｄに形成された突起４ｇを、図７から図６に示す位置へ移動させ、支持枠体２の枠部２ａ，２ａを乗り越えさせる。これにより、解除レバー４を、図４に示す締結固定角度に回動操作することが可能となり、再びベルトＢを締結固定することができる。
【００５９】
また、図４に示す締結固定角度に回動された解除レバー４の挿通孔４ｂには調節側のベルトＢが挿通されているので、解除レバー４が、勝手に締結解除方向へ回動されるのを防止することができる。つまり、解除レバー４を、図６から図７に示す角度に手で回動操作しないかぎり、ベルトＢの締結固定が解除される心配がない。
【００６０】
なお、解除レバー４の挿通孔４ｂにベルトＢを挿通しなくても、ベルトＢを締結固定するのに必要な締付け力が安定して得られる。
【００６１】
以上のように、解除レバー４を締結解除方向へ回動操作するだけで、支持枠体２の枠部２ａ，２ａ間に取り付けられた挟持部材３が締結解除方向へ強制的に移動される。これにより、ベルトＡ，Ｂが強固に締結固定されていても、その締結固定を簡単且つ容易に解除することができる。
【００６２】
図８は、他の例であるダブル型のベルト締結具１によるベルトＡ，Ｂの締結状態を示す平面図である。  
本例のベルト締結具１は、平面から見て矩形に折り曲げ加工された支持枠体２の前後（前後方向ａ）に対向する枠部２ｂ，２ｃと、支持枠体２の左右（左右方向ｂ）に対向する枠体２ａ，２ａに対し前後摺動自在に取り付けられた一対の挟持部材３，３とで、各挟持部材３，３に巻き付けられたベルトＡ，Ｂを挟持して締結固定するものである。
【００６３】
また、支持枠体２の枠部２ｂ，２ｃには、該支持枠体２の前後方向ａと平行する方向に向けて一対の解除レバー４，４が前後回動自在に取り付けられている。  
つまり、一方の挟持部材３に巻き付けられたベルトＡの端部Ａａは、一方の解除レバー４の挿通孔４ｂに挿通して上方へ引き出す。また、他方の挟持部材３に巻き付けられたベルトＢの端部Ｂａは、他方の解除レバー４の挿通孔４ｂに挿通して下方へ引き出す。
【００６４】
これにより、ベルトＡ，Ｂが長さ方向に緊張された際に、該ベルトＡ，Ｂを巻き付けた挟持部材３が、支持枠体２の枠部２ｂ，２ｃに取り付けられた解除レバー４の巻付け部４ａに押し付けられる。
【００６５】
支持枠体２に取り付けられた一対の挟持部材３，３と、該支持枠体２の枠部２ｂ，２ｃに取り付けられた一対の解除レバー４，４によってベルトＡ，Ｂが挟持されるので、ベルトＡ，Ｂが長さ方向に緊張される程、強固に締め付け固定することができる。
【００６６】
また、一方又は他方の解除レバー４を締結解除方向へ回動操作するだけで、支持枠体２に取り付けられた挟持部材３が締結解除方向へ強制的に移動される。これにより、ベルトＡ，Ｂの締結固定を簡単且つ容易に解除することができる。
【００６７】
さらに、ベルトＡ，Ｂの巻き付け具合やベルト締結具１の取り付け位置等に応じて、操作しやすい方の解除レバー４を回動操作することができる。
【００６８】
図９は、解除レバー４を締結固定角度に回動規制する他の例を示す側面図である。  
本例のベルト締結具１は、カム面４ｅが形成されたカム部４ｄの内側に、該枠部２ａが係合される間隔に隔てて滑らかな曲面形状の突起４ｈ，４ｈが形成されている。
【００６９】
つまり、解除レバー４を、図に示す締結固定角度に回動操作した際に、支持枠体２の枠部２ａがカム部４ｄに形成された突起４ｈ，４ｈの間に係合される。これにより、解除レバー４が締結固定角度に回動規制される。また、ベルトＡ，Ｂの締結固定時において、解除レバー４が締結解除方向へ回動しようとするのを防止することができる。
【００７０】
図１０は、ベルト締結具１を家具Ｃが転倒するのを防止するために用いた例を示す側面図である。  
本例のベルト締結具１は、図示しない建物の壁部Ｄに沿って設置された家具Ｃの後側上部に配置されている。
【００７１】
家具Ｃの前側上部に係止又は固定されたフック５には、支持枠体２に巻き付け固定されたベルトＡの一端が連結されている。また、家具Ｃ後方の上側壁部Ｄに固定された固定部材６には、支持枠体２の挟持部材３に巻き付けられたベルトＢの一端が連結されている。また、家具Ｃ後方の下側壁部Ｄに固定された固定部材７には、コイルスプリング８を介して、家具Ｃの後側に垂下されたベルトＢの他端が連結されている。
【００７２】
つまり、ベルト締結具１の挟持部材３に巻き付けられたベルトＢは、コイルスプリング８の復元力により常時引っ張られているので、地震発生時において、家具Ｃが壁部Ｄ側に傾いても、ベルトＡ，Ｂには緩みが生じることがない。
【００７３】
また、家具Ｃが前方へ傾いた際には、ベルトＡ，Ｂが長さ方向に緊張され、支持枠体２に取り付けられた挟持部材３と、解除レバー４の巻付け部４ａとによってベルトＢが締結固定されるので、家具Ｃが壁部Ｄから離れる方向へ傾倒するのを防止することができる。
【００７４】
なお、コイルスプリング８が係止される固定部材７は、建物の床部に固定してもよい。また、コイルスプリング８の代わりに、適宜重量の重り部材をベルトＢの下端部に取り付けてもよい。
【００７５】
本発明は、上述の実施形態の構成のみに限定されるものではなく、請求項に示される技術思想に基づいて応用することができ、多くの実施の形態を得ることができる。
【００７６】
本発明のベルト締結具１は、２本のベルトＡ，Ｂを締結固定する際にも利用することができる。また、ベルト締結具１は、例えばポリアセタール、ポリカーボネート等のプラスチックで形成してもよい。
【産業上の利用可能性】
【００７７】
本発明のベルト締結具１は、例えば鞄、リュックサック、農機具などの装着時において、肩ひも等のベルト長さを自由に調節する際にも利用することができる。
【符号の説明】
【００７８】
Ａ，Ｂ…ベルト
Ｃ…家具
Ｄ…壁部
１…ベルト締結具
２…支持枠体
３…挟持部材
４…解除レバー
４ａ…巻付け部
４ｂ…挿通孔
４ｃ…支持板
４ｄ…カム部
４ｇ，４ｈ…突起
５…フック
６，７…固定部材
８…コイルスプリング
【図１】
2010195452.tif 000003
【図２】
2010195452.tif 000004
【図３】
2010195452.tif 000005
【図４】
2010195452.tif 000006
【図５】
2010195452.tif 000007
【図６】
2010195452.tif 000008
【図７】
2010195452.tif 000009
【図８】
2010195452.tif 000010
【図９】
2010195452.tif 000011
【図１０】
2010195452.tif 000012